(57)【要約】      （修正有）【課題】平面型表示装置において、シールドケース、冷却ファン、発熱部品の専用のヒートシンク等を使用せずに、電磁シールドと放熱性を得る。【解決手段】ＰＤＰ３が前面に取り付けられたの導電性のシャーシ基板４の背面と、シャーシ基板４の背面側を覆う導電性のリアカバー１１とで囲われた空間内に、シャーシ基板４またはリアカバー１１との協働で回路収容空間１６を画成するケース部材１７を装備すると共に、該ケース部材１７内にオーディオ回路６含むソース部８を収容することで、ケース部材１７をオーディオ回路６を保護するシールド壁およびヒートシンクとして機能させる。【選択図】図５
2005017630.tif 000002
【特許請求の範囲】
【請求項１】
画像を表示するための平面型のディスプレイパネルが前面に取り付けられた導電性のシャーシ基板の背面に、入力される画像信号に基づいてディスプレイパネルの描画を制御するパネル駆動部と、
オーディオ信号を制御するオーディオ回路を含むソース部と、を備え、前記シャーシ基板の背面を導電性のリアカバーで覆う構造の平面型表示装置であって、
前記シャーシ基板と前記リアカバーとで囲われた空間内に、前記シャーシ基板と前記リアカバーとの協働で回路収容空間を画成する導電性を有するケース部材を装備すると共に、該ケース部材内に、前記ソース部を収容することを特徴とする平面型表示装置。
【請求項２】
前記ケース部材は熱伝導性を有し、前記ソース部を構成する発熱部品が、前記ケース部材の周壁に接触して実装されることを特徴とする請求項１に記載の平面型表示装置。
【請求項３】
前記ケース部材は、前記シャーシ基板または前記リアカバーに面接触して固定されることを特徴とする請求項１または請求項２に記載の平面型表示装置。
【請求項４】
前記ケース部材は金属製であることを特徴とする請求項１〜請求項３のいずれかに記載の平面型表示装置。
【発明の詳細な説明】
【０００１】
【発明の属する技術分野】
本発明は、平面型表示装置に関するものである。
【０００２】
【従来の技術】
近年、平面型表示装置に用いられるディスプレイパネルとして、放電空間を介して対向配置された一対の基板の内面に、それぞれ行電極対と列電極対とが配置され、これらの両電極同士の交点において放電セルが構成されて、各放電セルにおいて放電させることにより表示を行うプラズマディスプレイパネル（以下、ＰＤＰと称す）の開発が活発化している。
【０００３】
このようなＰＤＰを用いた平面型表示装置は、大画面の画像モニタ等に使用され、画像ソースを提供するチューナ等や、音声を出力するスピーカ、オーディオ信号を制御してスピーカを駆動するオーディオ回路等は、それぞれ別体の装置を使っていた。
【０００４】
しかし、大画面の平面型表示装置が一般家庭に普及するに伴い、家庭用テレビ受像機として使いやすいように、チューナやスピーカおよびオーディオ回路等を一体化した平面型表示装置も開発されている。
【０００５】
上記のような一体型の平面型表示装置は、ディスプレイパネルを収容する外装筐体内に、ディスプレイパネルの描画を制御するパネル駆動部と、スピーカと、オーディオ信号を制御してスピーカを駆動するオーディオ回路と、再生するオーディオ信号や画像信号を抽出するためのチューナ回路とを内蔵して構成されている。
【０００６】
以下、従来の一体型の平面型表示装置について一例を挙げ、図１および図２を参照して詳細に説明する。
図１は従来の平面型表示装置のリアカバーを取り外した状態での裏面図、図２は図１に示した従来の平面型表示装置にリアカバーを取り付けた状態でのＡ−Ａ線に沿う断面図、図３はソース部の構造の一例を示す斜視図である。
【０００７】
図１および図２に示すように、平面型表示装置１０１は、画像を表示するための平面型のディスプレイパネルであるＰＤＰ１０３が前面に取り付けられた金属製のシャーシ基板１０４の背面に、入力される画像信号に基づいてＰＤＰ１０３の描画を制御するパネル駆動部１０５と、入力されるオーディオ信号に基づいてスピーカ等への出力信号を制御するオーディオ回路およびテレビ電波等の受信電波の選局をしてパネル駆動部１０５に入力される画像信号の抽出やオーディオ回路に入力されるオーディオ信号の抽出を行うチューナ回路を備えたソース部１０８と、上記の各部の回路に給電する電源部１０２とを装備すると共に、上記の各部を装備したシャーシ基板１０４の背面を金属製のリアカバー１１１で覆った構造である。このリアカバー１１１は、ＰＤＰ１０３を収容した前面枠１１２の後面の開放部を覆うカバーも兼ねていて、前面枠１１２と共に装置外観を形成する外装筐体１１３を構成している。
【０００８】
ＰＤＰ１０３は、シャーシ基板１０４の前面に両面粘着テープによって貼着固定されている。また、前面枠１１２の開口部には、ＰＤＰ１０３の前面側を覆う透明な前面保護板１１４が取り付けられている。シャーシ基板１０４は、前面枠１１２に、ねじ等によって締結固定される。
【０００９】
前面枠１１２は、通常、合成樹脂による一体成型品である。また、リアカバー１１１は、パネル駆動部１０５やソース部１０８を搭載したシャーシ基板１０４の背面全域を覆う一体品で、電磁波漏洩を防止することから、金属製とされている（例えば、特許文献１）
【００１０】
さらに、ソース部１０８は、図３に示すように、基板１１５上に設けられた回路のうち、特に電磁シールドが必要な部分はシールドケース１２１内に収容されている。また、オーディオ回路のパワーＩＣ等の発熱部品１１８が、ヒートシンク１２０に装着されている。
【００１１】
【特許文献１】
特開２００２−３４１７７７号公報
【００１２】
【発明が解決しようとする課題】
ところで、従来の平面型表示装置１０１では、パネル駆動部１０５や電源部１０２の収容空間内にソース部１０８が存在しており、パネル駆動部１０５や電源部１０２の動作やＰＤＰ１０３の放電等によって発生する電磁ノイズが、ソース部１０８内の画像信号およびオーディオ信号に影響を与えるため、例えば、図３に示す電磁シールドが必要な部分を収容するためのシールドケース１２１などの電磁波を遮蔽する部材が必要であり、コストアップを招くという問題があった。
【００１３】
また、ソース部１０８のオーディオ回路に搭載されるパワーＩＣ等の電力消費の比較的多い発熱部品１１８は、かなりの発熱を生ずる。上記のようにパネル駆動部１０５や電源部１０２の収容空間内に上記の発熱部品１１８を内蔵させた構造では、発熱部品１１８からの発熱が収容空間内に籠もって過度な温度上昇を引き起こしてしまう。
【００１４】
この過度な温度上昇によるパネルの表示特性劣化や部品の短寿命化の虞を防止するために、発熱部品１１８の発熱を筐体外部に逃がすための放熱口を外装筐体１１３に装備し、且つ、筐体内の昇温した雰囲気を前記放熱口から外部に強制放出する冷却ファン１２３を装備することが必要不可欠になる（ファンの冷却能力によっては複数必要）。
【００１５】
平面型表示装置１０１に冷却ファン１２３を装備することは、装備部品数の増大によるコストアップを招くだけでなく装置の大型化を招き、装置を薄型化する妨げとなるという問題もあった。また、冷却ファン１２３の動作音が装置外部に漏れてしまうため、オーディオ装置等に要求される静音性を損なう虞もあった。
【００１６】
さらに、従来の平面型表示装置１０１では、パワーＩＣ等の発熱部品１１８の放熱対策として、専用のヒートシンク１２０に発熱部品１１８を装着していたが、このヒートシンク１２０のコストがかかり、さらに、このような専用のヒートシンク１２０は比較的大型であるため装置の薄型化の妨げとなる。
【００１７】
本発明が解決しようとする課題には、電磁シールドが必要な部分を収容するためのシールドケースを設けるなどの対策が不可欠になり、コストアップを招くという問題や、冷却ファンを装備することが必要不可欠なため装置の薄型化や静音性を損なう虞があるという問題や、発熱部品の専用のヒートシンクが必要となるため部品数が増えコストアップとなり、装置の薄型化の妨げとなる問題がそれぞれ一例として挙げられる。
【００１８】
【課題を解決するための手段】
請求項１に記載した発明は、画像を表示するための平面型のディスプレイパネルが前面に取り付けられた導電性のシャーシ基板の背面に、入力される画像信号に基づいてディスプレイパネルの描画を制御するパネル駆動部と、オーディオ信号を制御するオーディオ回路を含むソース部と、を備え、前記シャーシ基板の背面を導電性のリアカバーで覆う構造の平面型表示装置であって、前記シャーシ基板と前記リアカバーとで囲われた空間内に、前記シャーシ基板と前記リアカバーとの協働で回路収容空間を画成する導電性を有するケース部材を装備すると共に、該ケース部材内に、前記ソース部を収容することを特徴とする。
【００１９】
【発明の実施の形態】
以下、図４〜図６に基づいて本発明の好適な実施の形態に係る平面型表示装置を詳細に説明する。
図４は本実施の形態に係る平面型表示装置のリアカバーを取り外した状態での裏面図、図５は図４に示した平面型表示装置にリアカバーを取り付けた状態でのＢ−Ｂ線に沿う断面図、図６はソース部の構造を示す斜視図である。
【００２０】
図４および図５に示すように、平面型表示装置１は、画像を表示するための平面型のディスプレイパネルであるＰＤＰ３が前面に取り付けられた導電性（金属製等）のシャーシ基板４の背面に、入力される画像信号に基づいてＰＤＰ３の描画を制御するパネル駆動部５と、入力されるオーディオ信号に基づいてスピーカ等への出力信号を制御するオーディオ回路６を備えたソース部８と、上記の各部の回路に給電する電源部２とを装備すると共に、上記の各部を装備したシャーシ基板４の背面を導電性（金属製等）のリアカバー１１で覆った構造である。
上記ソース部８は、さらに、テレビ電波等の受信電波の選局をしてパネル駆動部５に入力される画像信号の抽出やオーディオ回路６に入力されるオーディオ信号の抽出を行うチューナ回路７を備えていてもよい。
リアカバー１１は、ディスプレイパネル３を収容した前面枠１２の後面の開放部を覆うカバーも兼ねていて、前面枠１２と共に装置外観を形成する外装筐体１３を構成している
【００２１】
ＰＤＰ３は、前面基板３ａと背面基板３ｂとの積層構造で、背面基板３ｂの背面側がシャーシ基板４の前面に両面粘着テープなどによって貼着固定されている。また、前面枠１２の前面部には、ＰＤＰ３の前面側を覆う前面保護板１４が取り付けられている。シャーシ基板４は、前面枠１２に、ねじ等によって締結固定される。
【００２２】
さらに、シャーシ基板４とリアカバー１１とで囲われた空間内に、シャーシ基板４およびリアカバー１１との協働で回路収容空間１６を区画形成する導電性および熱伝導性を有する金属製のケース部材１７を装備していて、オーディオ回路６を含むソース部８を前記ケース部材１７内に収容している。
【００２３】
ケース部材１７は、対向するシャーシ基板４の背面とリアカバー１１の内面とで、ほぼ密閉した直方体状の回路収容空間１６を画成したもので、ケース部材１７自体は、これらのシャーシ基板４やリアカバー１１で覆われる部分は開口した単純な枠構造である。
【００２４】
このケース部材１７は、例えばアルミニウムのように、導電性および熱伝導性の双方に優れ、且つ、軽量化に適する金属材料で形成されており、さらに、シャーシ基板４またはリアカバー１１に一部を面接触させた状態で、平面型表示装置１の下部にあるリアパネル１９（入出力端子を備えたパネル）にねじ２０等によって固定されている。
【００２５】
そして、本実施の形態では、図３に示すように、ソース部８に含まれるオーディオ回路６に搭載されるパワーＩＣ等の電力消費の比較的多い発熱部品１８が、ケース部材１７の周壁に面接触状態に密着し、例えばエポキシ樹脂等で固着されて実装されている。
【００２６】
以上の平面型表示装置１では、ソース部８を収容しているケース部材１７が、パネル駆動部５からのノイズを遮断する電磁シールド壁となって、パネル駆動部５が発生するノイズからソース部８を保護する。
【００２７】
したがって、ソース部８自体にはパネル駆動部５からのノイズの影響を排除するノイズ対策が不要で、その基板１５上にシールドケース等を装着するなどの必要がなく、部品点数を減らしてコスト削減を図ることができる。
【００２８】
しかも、ソース部８には、特に発熱が多いパワーＩＣ等の発熱部品１８が含まれており、パネル駆動部５などの周辺回路部から独立した回路収容空間１６に収容された構造となるため、オーディオ回路６からの発熱がパネル駆動部５などの周辺回路部の動作に影響を及ぼすことが防止される。
【００２９】
したがって、パネル駆動部５などの周辺回路部とソース部８とを同一の収容空間に収容していた従来の装置と比較すると、ソース部８の発熱がパネル駆動部５などの周辺回路部側の収容空間にほとんど伝わらないので、昇温を防止するための冷却ファンの省略が可能である。よって、冷却ファンによる収容空間の圧迫をなくすと同時に、部品点数の削減ができ、冷却ファンの動作音がないので、静音性を向上できる。
【００３０】
また、本実施の形態では、ソース部８に含まれる発熱部品１８を、ケース部材１７の周壁に面接触状態に密着させて実装しているため、ソース部８を収容したケース部材１７の周壁が、接触している発熱部品１８の発生した熱を外部に放出するヒートシンクとして機能し、発熱部品１８に専用のヒートシンクを用意する必要がなくなる。よって、比較的大きな専用のヒートシンクがないので、装置の薄型化が可能となる。
【００３１】
また、発熱部品１８の装着は、図６上部の周壁以外の左右の周壁にも取り付けることができ、取り付け面が比較的大きいため、複数の発熱部品１８をケース部材１７の周壁に実装した構成とすることもできる。
【００３２】
ソース部８に含まれるオーディオ回路６の発熱部品１８からケース部材１７に伝導した熱は、ケース部材１７が面接触状態で固定されているシャーシ基板４またはリアカバー１１、ねじなどで固定されたリアパネル１９に伝導される。これにより、シャーシ基板４やリアカバー１１がヒートシンクとして有用に活用され、効率良い放熱が可能になる。特に、リアカバー１１は、平面型表示装置１外部に露出し、外気と接しているので、装置外部への放熱が効率的に行うことができる。
【００３３】
なお、上述の実施の形態においては、平面型のディスプレイパネルとしてＰＤＰを用いた例を示したが、本発明はこれに限らず、有機ＥＬディスプレイパネル、液晶ディスプレイパネルなどの他のフラットディスプレイパネルを搭載する平面型表示装置にも適用可能である。
【００３４】
また、ソース部８に含まれるオーディオ回路６のうち、電磁シールドの必要がなく、発熱がほとんどない一部の回路（例えば、オーディオプリアンプ等）をケース部材１７の外部、すなわち、パネル駆動部５などの周辺回路部の収容空間に適宜設置してもよい。
【００３５】
本実施の形態に係る平面型表示装置１によれば、画像を表示するための平面型のＰＤＰ３が前面に取り付けられた導電性のシャーシ基板４の背面に、入力される画像信号に基づいてＰＤＰ３の描画を制御するパネル駆動部５と、オーディオ信号を制御するオーディオ回路６を含むソース部８と、を備え、シャーシ基板の背面を導電性のリアカバー１１で覆う構造の平面型表示装置１であって、シャーシ基板４とリアカバー１１とで囲われた空間内に、シャーシ基板４とリアカバー１１との協働で回路収容空間１６を画成する導電性を有するケース部材１７を装備すると共に、該ケース部材１７内に、ソース部８を収容する。
これにより、ケース部材１７が電磁シールド壁となって、パネル駆動部５や電源部２の動作やＰＤＰ１０３の放電等によって発生する電磁ノイズから、ソース部８内のチューナ回路７やオーディオ回路６を保護できる。
【００３６】
また、ケース部材は熱伝導性を有し、ソース部を構成する発熱部品が、ケース部材の周壁に接触して実装されることにより、冷却ファンや大型のヒートシンク等が必要なくなるので、冷却ファンの動作音により静音性を損なうことがなく、また、これらの部品の設置空間がないので装置の薄型化に寄与でき、また、部品コストを省くことができる。
【図面の簡単な説明】
【図１】従来の平面型表示装置のリアカバーを取り外した状態での裏面図である。
【図２】図１に示した平面型表示装置にリアカバーを取り付けた状態でのＡ−Ａ線に沿う断面図である。
【図３】従来の平面型表示装置のソース部の構造の一例を示す斜視図である。
【図４】本発明に係る平面型表示装置の一実施の形態のリアカバーを取り外した状態での裏面図である。
【図５】図４に示した平面型表示装置にリアカバーを取り付けた状態でのＢ−Ｂ線に沿う断面図である。
【図６】本発明に係る平面型表示装置のソース部の構造の一例を示す斜視図である。
【符号の説明】
１  平面型表示装置
２  電源部
３  ＰＤＰ（プラズマディスプレイパネル）
４  シャーシ基板
５  パネル駆動部
６  オーディオ回路
７  チューナ回路
８  ソース部
１１  リアカバー
１３  外装筐体
１６  回路収容空間
１７  （金属製の）ケース部材
１８  発熱部品
【図１】
2005017630.tif 000003
【図２】
2005017630.tif 000004
【図３】
2005017630.tif 000005
【図４】
2005017630.tif 000006
【図５】
2005017630.tif 000007
【図６】
2005017630.tif 000008